【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
サービング基地局からターゲット基地局への、飛行機内に配置された２以上のモデムの同時ハンドオーバ手続きを管理するためのハンドオーバ管理コンポーネントによって実行される方法であって、ここにおいて、前記２以上のモデムが、ビームフォーミングコンポーネントとアンテナシステムを共有し、およびＲＲＣワイヤレスプロトコルをインプリメントし、前記方法が、
前記２以上のモデムのうちの少なくとも１つのモデムから無線状態の少なくとも１つの測定レポートを示す少なくとも１つのメッセージを受信することと、
前記少なくとも１つのメッセージに基づいて、前記２以上のモデムを前記サービング基地局から前記ターゲット基地局へハンドオーバするかどうかを決定することと、
前記２以上のモデムを前記サービング基地局から前記ターゲット基地局へハンドオーバすると決定すると、前記サービング基地局から前記ターゲット基地局へのそれぞれのハンドオーバ手続きをトリガするように構成された測定レポートを前記サービング基地局へ送信することを前記２以上のモデムの各々に示すことと、
を備える、方法。
【請求項２】
前記少なくとも１つのメッセージに基づいて、前記２以上のモデムを前記サービング基地局から前記ターゲット基地局へハンドオーバするかどうかを決定することは、
前記少なくとも１つのメッセージに基づいて、前記２以上のモデム内のある数のモデムがハンドオーバ状態にあると決定することと、
前記モデムの数がしきい値を超えるとき、前記２以上のモデムを前記サービング基地局から前記ターゲット基地局へハンドオーバすることを決定することと、
を備える、請求項１の方法。
【請求項３】
前記それぞれのハンドオーバ手続きをトリガするように構成された前記測定レポートを前記サービング基地局へ送信することを前記２以上のモデムの各々に示すことは、
モデムがハンドオーバ状態にあることを前記モデムの第１の測定レポートが示すとき、前記第１の測定レポートを前記サービング基地局へ送信することを前記モデムへ示すことと、
前記モデムが前記ハンドオーバ状態にないことを前記モデムの前記第１の測定レポートが示すとき、前記サービング基地局へ第２の測定レポートを送信することを前記モデムに示すことと、ここにおいて、前記第２の測定レポートは、前記サービング基地局から前記ターゲット基地局への前記モデムのハンドオーバ手続きをトリガするように構成される、
を備える、請求項１の方法。
【請求項４】
前記モデムが前記ハンドオーバ状態にないことを前記モデムの前記第１の測定レポートが示すとき、前記それぞれのハンドオーバ手続きをトリガするように構成された前記測定レポートを前記サービング基地局へ送信することを前記２以上のモデムの各々に示すことは、
前記第２の測定レポートを前記モデムへ送信すること
をさらに備える、請求項３の方法。
【請求項５】
前記少なくとも１つの測定レポートを示す前記少なくとも１つのメッセージを受信することは、
モデムから第１の測定レポートを受信すること、または、
前記モデムが前記ハンドオーバ状態にあるという表示を受信すること
の少なくとも１つを備える、請求項１の方法。
【請求項６】
前記２以上のモデムの第１のモデムから、前記第１のモデムが前記測定レポートを前記サービング基地局に送信することに応答して、前記第１のモデムが前記サービング基地局から無線リソース制御（ＲＲＣ）再構成メッセージを受信したことを示す信号を受信することと、
前記信号に基づいて、前記サービング基地局から前記ターゲット基地局への前記２以上のモデムのハンドオーバ手続きを開始するかどうかを決定することと、
前記サービング基地局から前記ターゲット基地局への前記２以上のモデムの前記ハンドオーバ手続きを開始することを決定すると、前記サービング基地局から前記ターゲット基地局へのそれぞれのハンドオーバ手続きを実行することを開始することを前記２以上のモデムの各々に示すことと、
をさらに備える、請求項１の方法。
【請求項７】
前記信号に基づいて、前記サービング基地局から前記ターゲット基地局への前記２以上のモデムの前記ハンドオーバ手続きを開始するかどうかを決定することは、
前記信号を受信すると、タイマを開始することと、
前記タイマが満了すると、あるいは前記２またはモデム内の各モデムから、前記サービング基地局へそれぞれの測定レポートを送信することに応答して、各モデムが前記サービング基地局からそれぞれのＲＲＣ再構成メッセージを受信したことを示すアクノレジメント信号を受信すると、前記サービング基地局から前記ターゲット基地局への前記２以上のモデムの前記ハンドオーバ手続きを開始することを決定することと、
をさらに備える、請求項６の方法。
【請求項８】
前記ハンドオーバ手続きの各々は、
ランダムアクセス手続きと、
ＲＲＣ接続セットアップ手続きと、
を備える、請求項６の方法。
【請求項９】
前記サービング基地局から前記ターゲット基地局への前記２以上のモデムの前記ハンドオーバ手続きを開始することを決定すると、前記サービング基地局から前記ターゲット基地局へビームをステアリングすることを前記飛行機の前記アンテナシステムに通知することをさらに備える、請求項６の方法。
【請求項１０】
サービング基地局からターゲット基地局への、飛行機内に配置された２以上のモデムの同時ハンドオーバ手続きを管理するためのハンドオーバ管理コンポーネントであって、ここにおいて、前記２以上のモデムが、ビームフォーミングコンポーネントとアンテナシステムを共有し、およびＲＲＣワイヤレスプロトコルをインプリメントし、前記ハンドオーバ管理コンポーネントが、
前記２以上のモデムのうちの少なくとも１つのモデムから無線状態の少なくとも１つの測定レポートを示す少なくとも１つのメッセージを受信する手段と、
前記少なくとも１つのメッセージに基づいて、前記２以上のモデムを前記サービング基地局から前記ターゲット基地局へハンドオーバするかどうかを決定する手段と、
前記２以上のモデムを前記サービング基地局から前記ターゲット基地局へハンドオーバすると決定すると、前記サービング基地局から前記ターゲット基地局へのそれぞれのハンドオーバ手続きをトリガするように構成された測定レポートを前記サービング基地局へ送信することを前記２以上のモデムの各々に示す手段と、
を備える、ハンドオーバ管理コンポーネント。
【請求項１１】
プロセッサによって実行可能なコンピュータ可読媒体であって、前記プロセッサに、請求項１〜請求項９のうちのいずれか一項に記載の方法を実行させるコードを備える、コンピュータ可読媒体。
【手続補正２】
【補正対象書類名】明細書
【補正対象項目名】０１０７
【補正方法】変更
【補正の内容】
【０１０７】
[00117]前述の説明は、当技術分野の当業者に、ここで記載された種々の側面を実施するのを可能にするために実行される。これらの態様への様々な修正は、当業者にとって容易に明らかとなり、本明細書に定義された包括的な原理は、他の態様に適用されうる。このことから、特許請求の範囲は、本明細書に示された態様に限定されるように意図されてはいないが、特許請求の範囲の文言と一致する全範囲を付与されるべきであり、ここにおいて、単数形での要素への言及は、そうであると具体的に記載されない限り、「１つおよび１つのみ」を意味するように意図されず、むしろ「１つまたは複数」を意味するように意図される。そうでないと具体的に記載されない限り、「何らかの／いくつかの」という用語は、１つ以上を指す。当業者に既知の、または後に周知となる、本開示を全体にわたって説明された様々な態様の要素と構造的および機能的に同等な物はすべて、参照によって本明細書に明確に組み込まれ、特許請求の範囲に包含されるよう意図される。その上、本明細書のどの開示も、そのような開示が特許請求の範囲中に明示的に記載されているかどうかにかかわらず、公に献呈されるようには意図されていない。要素が「〜のための手段」という表現を使用して明記されていない限り、どの請求項の要素もミーンズプラスファンクションとして解釈されるべきではない。
以下に本願の出願当初の特許請求の範囲に記載された発明を付記する。
[Ｃ１]  サービング基地局からターゲット基地局への２以上のモデムのハンドオーバ手続きを管理する方法において、
前記２以上のモデムの内の少なくとも１つのモデムから無線状態の少なくとも１つの測定レポートを示す少なくとも１つのメッセージを受信することと、
前記少なくとも１つのメッセージに基づいて前記２以上のモデムを前記サービング基地局から前記ターゲット基地局へハンドオーバするか否かを決定することと、
前記２以上のモデムを前記サービング基地局から前記ターゲット基地局へハンドオーバすると決定すると、前記サービング基地局から前記ターゲット基地局へそれぞれのハンドオーバ手続きをトリガするように構成された測定レポートを前記サービング基地局へ送信することを前記２以上のモデムの各々に示すことと、を備える方法。
[Ｃ２]  前記少なくとも１つのメッセージに基づいて、前記２以上のモデムを前記サービング基地局から前記ターゲット基地局へハンドオーバするか否かを決定することは、
前記少なくとも１つのメッセージに基づいて、前記２以上のモデム内のある数のモデムがハンドオーバ状態にあると決定することと、および
前記モデムの数がしきい値を超えるとき、前記２以上のモデムを前記サービング基地局から前記ターゲット基地局へハンドオーバすると決定することと、を備える、Ｃ１の方法。
[Ｃ３]  前記それぞれのハンドオーバ手続きをトリガするように構成された前記測定レポートを前記サービング基地局へ送信することを前記２以上のモデムの各々に示すことは、
モデムがハンドオーバ状態にあることを前記モデムの第１の測定レポートが示すとき、前記第１の測定レポートを前記サービング基地局へ送信することを前記モデムへ示すことと、
前記モデムが前記ハンドオーバ状態にないことを前記モデムの前記第１の測定レポートが示すとき、前記サービング基地局へ第２の測定レポートを送信することを前記モデムに示すことと、ここにおいて、前記第２の測定レポートは、前記サービング基地局から前記ターゲット基地局へ前記モデムのハンドオーバ手続きをトリガするように構成される、を備える、Ｃ１の方法。
[Ｃ４]  前記モデムが前記ハンドオーバ状態にないことを前記モデムの前記第１の測定レポートが示すとき、前記それぞれのハンドオーバ手続きをトリガするように構成された前記測定レポートを前記サービング基地局へ送信することを前記２以上のモデムの各々へ示すことは、
前記第２の測定レポートを前記モデムへ送信することをさらに備える、Ｃ３の方法。
[Ｃ５]
前記少なくとも１つの測定レポートを示す前記少なくとも１つのメッセージを受信することは、
モデムから第１の測定レポートを受信することと、または、
前記モデムが前記ハンドオーバ状態にあるという表示を受信することと、の少なくとも１つを備える、Ｃ１の方法。
[Ｃ６]  前記第１のモデムが前記測定レポートを前記サービング基地局に送信することに応答して、前記サービング基地局から無線リソース制御（ＲＲＣ）再構成メッセージを前記１のモデムが受信したことを示す信号を、前記２以上のモデムの第１のモデムから受信することと、
前記信号に基づいて、前記サービング基地局から前記ターゲット基地局へ前記２以上のモデムのハンドオーバ手続きを開始するかどうかを決定することと、
前記サービング基地局から前記ターゲット基地局へ前記２以上のモデムの前記ハンドオーバ手続きを開始すると決定すると、前記サービング基地局から前記ターゲット基地局へそれぞれのハンドオーバ手続きを開始することを前記２以上のモデムの各々に示すことと、をさらに備える、Ｃ１の方法。
[Ｃ７]  前記信号に基づいて、前記サービング基地局から前記ターゲット基地局へ前記２以上のモデムのハンドオーバ手続きを開始するかどうかを決定することは、
前記信号を受信すると、タイマを開始することと、および
前記タイマが満了すると、あるいは前記２以上のモデム内の各モデムから、前記サービング基地局へのそれぞれの測定レポートを送信することに応答して各モデムがそれぞれのＲＲＣ再構成メッセージを受信したことを示すアクノレジメント信号を受信すると、前記サービング基地局から前記ターゲット基地局へ前記２以上のモデムの前記ハンドオーバ手続きを開始するように決定することをさらに備える、Ｃ６の方法。
[Ｃ８]  前記ハンドオーバ手続きの各々は、
ランダムアクセス手続きと、および
ＲＲＣ接続セットアップ手続きと、を備える、Ｃ６の方法。
[Ｃ９]  前記２以上のモデムは、飛行機内に配置され、前記方法は、
前記サービング基地局から前記ターゲット基地局へ前記２以上のモデムの前記ハンドオーバ手続きを開始することを決定すると、前記サービング基地局から前記ターゲット基地局へビームをステアリングすることを前記飛行機のアンテナシステムに通知することをさらに備えた、Ｃ６の方法。
[Ｃ１０]  サービング基地局からターゲット基地局へ２以上のモデムのハンドオーバ手続きを管理する装置において、
前記２以上のモデムの少なくとも１つのモデムから無線状態の少なくとも１つの測定レポートを示す少なくとも１つのメッセージを受信する手段と、
前記少なくとも１つのメッセージに基づいて、前記２以上のモデムを前記サービング基地局から前記ターゲット基地局へハンドオーバするかどうかを決定する手段と、および
前記２以上のモデムを前記サービング基地局から前記ターゲット基地局へハンドオーバすることを決定すると、前記サービング基地局から前記ターゲット基地局へそれぞれのハンドオーバ手続きをトリガするように構成された測定レポートを前記サービング基地局に送ることを前記２以上のモデムの各々に示す手段と、
を備えた、装置。
[Ｃ１１]  前記少なくとも１つのメッセージに基づいて、前記サービング基地局から前記ターゲット基地局へ前記２以上のモデムをハンドオーバするかどうかを決定する手段は、
前記少なくとも１つのメッセージに基づいて、前記２以上のモデム内のある数のモデムがハンドオーバ状態にあると決定する手段と、
前記モデムの数がしきい値を超えると、前記サービング基地局から前記ターゲット基地局へ前記２以上のモデムをハンドオーバすることを決定する手段と、を備える、Ｃ１０の装置。
[Ｃ１２]  前記それぞれのハンドオーバ手続きをトリガするように構成された前記測定レポートを前記サービング基地局に送信することを前記２以上のモデムの各々に示す手段は、
あるモデムの第１の測定レポートが、前記モデムがハンドオーバ状態にあることを示すとき、前記モデムに前記第１の測定レポートを前記サービング基地局に送信することを示す手段と、
前記モデムの前記第１の測定レポートが、前記モデムが前記ハンドオーバ状態にないことを示すとき、前記サービング基地局に第２の測定レポートを送信するように前記モデムに示す手段と、ここにおいて、前記第２の測定レポートは、前記サービング基地局から前記ターゲット基地局へ前記モデムのハンドオーバ手続きをトリガするように構成される、を備える、Ｃ１０の装置。
[Ｃ１３]  前記それぞれのハンドオーバ手続きをトリガするように構成された前記測定レポートを前記サービング基地局に送信することを前記２以上のモデムの各々に示す手段は、さらに、
前記モデムが前記ハンドオーバ状態にないことを前記モデムの前記第１の測定レポートが示すとき、前記モデムに第２の測定レポートを送信する手段を備える、Ｃ１２の装置。
[Ｃ１４]  前記少なくとも１つの測定レポートを示す前記少なくとも１つのメッセージを受信する手段は、
モデムから第１の測定レポートを受信する手段と、
前記モデムが前記ハンドオーバ状態にあるという表示を受信する手段と、
の少なくとも１つを備える、Ｃ１０の装置。
[Ｃ１５]  前記第１のモデムが前記測定レポートを前記サービング基地局へ送信することに応答して前記第１のモデムが前記サービング基地局から無線リソース制御（ＲＲＣ）再構成メッセージを受信したことを示す信号を前記２以上のモデムの第１のモデムから受信する手段と、
前記信号に基づいて、前記サービング基地局から前記ターゲット基地局へ前記２以上のモデムのハンドオーバ手続きを開始するかどうかを決定する手段と、および
前記サービング基地局から前記ターゲット基地局へ前記２以上のモデムの前記ハンドオーバ手続きを開始することを決定すると、前記サービング基地局から前記ターゲット基地局へそれぞれのハンドオーバ手続きを実行することを開始することを前記２以上のモデムの各々に示す手段と、をさらに備える、Ｃ１０の装置。
[Ｃ１６]  前記信号に基づいて、前記サービング基地局から前記ターゲット基地局へ前記２以上のモデムの前記ハンドオーバ手続きを開始するかどうかを決定する手段は、
前記信号を受信すると、タイマを開始する手段と、および
前記タイマの満了時にあるいはそれぞれの測定レポートを前記サービング基地局に送信することに応答して前記サービング基地局からそれぞれのＲＲＣ再構成メッセージを各モデムが受信したことを示すアクノレジメント信号を前記２以上のモデム内の各モデムから受信すると、前記サービング基地局から前記ターゲット基地局へ前記２以上のモデムの前記ハンドオーバ手続きを開始すること決定する手段と、をさらに備えるＣ１５の装置。
[Ｃ１７]  前記ハンドオーバ手続の各々は、
ランダムアクセス手続きと、および
ＲＲＣ接続セットアップ手続きと、を備える、Ｃ１５の装置。
[Ｃ１８]  前記２以上のモデムは飛行機内に配置され、前記装置はさらに、
前記サービング基地局から前記ターゲット基地局へ前記２以上のモデムの前記ハンドオーバ手続を開始することを決定すると、前記サービング基地局から前記ターゲット基地局へビームをステアリングするように前記飛行機のアンテナシステムに通知する手段を備える、Ｃ１５の装置。
[Ｃ１９]  サービング基地局からターゲット基地局へ２以上のモデムのハンドオーバ手続を管理する装置において、
前記２以上のモデムの少なくとも１つのモデムから無線状態の少なくとも１つの測定レポートを示す少なくとも１つのメッセージを受信するように構成されたハンドオーバ管理コンポーネントと、
前記少なくとも１つのメッセージに基づいて、前記サービング基地局から前記ターゲット基地局へハンドオーバするかどうかを決定するように構成されたハンドオーバ決定コンポーネントと、を備え、
前記ハンドオーバ決定コンポーネントはさらに、前記サービング基地局から前記ターゲット基地局へ前記２以上のモデムをハンドオーバすると決定すると、前記サービング基地局から前記ターゲット基地局へそれぞれのハンドオーバ手続をトリガするように構成された測定レポートを前記サービング基地局へ送信することを前記２以上のモデムの各々へ示すように構成される、装置。
[Ｃ２０]  前記少なくとも１つのメッセージに基づいて、前記サービング基地局から前記ターゲット基地局へ前記２以上のモデムをハンドオーバするかどうかを決定するために、前記ハンドオーバ決定コンポーネントは、
前記少なくとも１つのメッセージに基づいて、前記２以上のモデム内のある数のモデムがハンドオーバ状態にあると決定し、
前記モデムの数がしきい値を超えると、前記サービング基地局から前記ターゲット基地局へ前記２以上のモデムをハンドオーバすることを決定する、ように構成される、Ｃ１９の装置。
[Ｃ２１]  前記それぞれのハンドオーバ手続きをトリガするように構成された前記測定レポートを前記サービング基地局へ送信することを前記２以上のモデムの各々に示すために、前記ハンドオーバ決定コンポーネントは、
前記モデムがハンドオーバ状態にあることをモデムの第１の測定レポートが示すとき、前記サービング基地局へ前記第１の測定レポートを送信することを前記モデムに示し、
前記モデムが前記ハンドオーバ状態にないことを前記モデムの前記第１の測定レポートが示すとき、前記サービング基地局へ第２の測定レポートを送信することを前記モデムに示す、ここにおいて、前記第２の測定レポートは前記サービング基地局から前記ターゲット基地局へ前記モデムのハンドオーバ手続をトリガするように構成される、ように構成される、Ｃ１９の装置。
[Ｃ２２]  前記モデムが前記ハンドオーバ状態にないことを前記モデムの前記第１の測定レポートが示すとき、前記それぞれのハンドオーバ手続をトリガするように構成された前記測定レポートを前記サービング基地局へ送信することを前記２以上のモデムの各々へ示すことは、さらに、前記第２の測定レポートを前記モデムに送信するように構成される、Ｃ２１の装置。
[Ｃ２３]  前記少なくとも１つの測定レポートを示す前記少なくとも１つのメッセージを受信するために、前記ハンドオーバ管理コンポーネントは、
モデムから第１の測定レポートを受信すること、または
前記モデムが前記ハンドオーバ状態にあるという表示を受信すること、の少なくとも１つを実行するように構成される、Ｃ１９の装置。
[Ｃ２４]  前記第１のモデムが前記測定レポートを前記サービング基地局へ送信することに応答して前記サービング基地局から無線リソース制御（ＲＲＣ）再構成メッセージを受信したことを示す信号を前記２以上のモデムの第１のモデムから受信し、
前記信号に基づいて、前記サービング基地局から前記ターゲット基地局へ前記２以上のモデムのハンドオーバ手続を開始するかどうかを決定し、
前記サービング基地局から前記ターゲット基地局へ前記２以上のモデムの前記ハンドオーバ手続を開始すると決定すると、前記サービング基地局から前記ターゲット基地局へそれぞれのハンドオーバ手続を実行することを開始することを前記２以上のモデムの各々に示す、ように構成されたハンドオーバ手続開始コンポーネントをさらに備えた、Ｃ１９の装置。
[Ｃ２５]  前記信号に基づいて、前記サービング基地局から前記ターゲット基地局へ前記２以上のモデムの前記ハンドオーバ手続を開始するかどうかを決定するために、前記ハンドオーバ手続開始コンポーネンントはさらに、
前記信号を受信すると、タイマを開始し、および
前記タイマの満了時、あるいは前記サービング基地局へそれぞれの測定レポートを送信することに応答して前記サービング基地局からそれぞれのＲＲＣ再構成メッセージを各モデムが受信したことを示すアクノレジメント信号を前記２以上の各モデムから受信すると、前記サービング基地局から前記ターゲット基地局へ前記２以上のモデムの前記ハンドオーバ手続を開始することを決定する、ようにさらに構成されたＣ２４の装置。
[Ｃ２６]  前記ハンドオーバ手続の各々は、
ランダムアクセス手続きと、および
ＲＲＣ接続セットアップ手続きと、
を備える、Ｃ２４の装置。
[Ｃ２７]  前記２以上のモデムは、飛行機内に配置され、前記ハンドオーバ手続開始コンポーネントはさらに、
前記サービング基地局から前記ターゲット基地局へ前記２以上のモデムの前記ハンドオーバ手続を開始することを決定すると、前記サービング基地局から前記ターゲット基地局へビームをステアリングすることを前記飛行機のアンテナシステムに通知するようさらに構成された、Ｃ２４の装置。
[Ｃ２８]  サービング基地局からターゲット基地局へ２以上のモデムのハンドオーバ手続を管理するためにプロセッサにより実行可能な非一時的コンピュータ可読媒体において、
前記２以上のモデムの少なくとも１つのモデムから無線状態の少なくとも１つの測定レポートを示す少なくとも１つのメッセージを受信するためのコードと、
前記少なくとも１つのメッセージに基づいて、前記サービング基地局から前記ターゲット基  地局へ前記２以上のモデムをハンドオーバするかどうかを決定するためのコードと、
前記サービング基地局から前記ターゲット基地局へ前記２以上のモデムをハンドオーバすることを決定すると、前記サービング基地局から前記ターゲット基地局へそれぞれのハンドオーバ手続をトリガするように構成された測定レポートを前記サービング基地局へ送信することを前記２以上のモデムの各々に示すためのコードと、を備えた、非一時的コンピュータ可読媒体。
[Ｃ２９]  前記少なくとも１つのメッセージに基づいて、前記サービング基地局から前記ターゲット基地局へ前記２以上のモデムをハンドオーバするかどうかを決定するためのコードは、
前記少なくとも１つのメッセージに基づいて、前記２以上のモデム内のある数のモデムがハンドオーバ状態にあると決定するためのコードと、および
前記モデムの数がしきい値を超えると、前記サービング基地局から前記ターゲット基地局へ前記２以上のモデムをハンドオーバすることを決定するためのコードと、を備えた、Ｃ２８のコンピュータ可読媒体。
[Ｃ３０]  前記それぞれのハンドオーバ手続をトリガするように構成された前記測定レポートを前記サービング基地局に送信することを前記２以上のモデムの各々に示すためのコードは、
前記モデムがハンドオーバ状態にあることをあるモデムの第１の測定レポートが示すと、前記第１の測定レポートを前記サービング基地局へ送信することを前記モデムに示すためのコードと、および
前記モデムが前記ハンドオーバ状態にないことを前記モデムの前記第１の測定レポートが示すとき、前記サービング基地局に第２の測定レポートを送信することを前記モデムに示すためのコードと、ここにおいて、前記第２の測定レポートは、前記サービング基地局から前記ターゲット基地局へ前記モデムのハンドオーバ手続をトリガするように構成される、を備える、Ｃ２８のコンピュータ可読媒体。